(57)【要約】  本技術は、１つまたは複数の音響トランスデューサーを含む筐体を含むヘッドレストとして具現化され得る。ヘッドレストは、搭載されたヘッドレストが背もたれに対して、調節可能範囲にわたる異なる位置に可動となるように、座席の背もたれに搭載するための棒を含む。棒は、１つまたは複数のワイヤを含み、１つまたは複数のワイヤの各々が、一端部において電気接点に結合され、反対側端部において音響トランスデューサーに結合され、１つまたは複数のワイヤが、棒の中空内部内に位置する。棒は、外部供給源に結合された電気コネクタと１つまたは複数のワイヤに結合された電気接点との間に電気接続が確立されることを可能にするための開口をさらに含む。接続は、電気コネクタまたは電気接点のいずれかに対する機械的バイアスによりヘッドレストの調節可能範囲にわたって維持される。
2019508317.tif 000002
【特許請求の範囲】
【請求項１】
乗り物の座席のためのヘッドレストであって、
前記乗り物の座席に乗った人の頭部を支持するための筐体であって、１つまたは複数の音響トランスデューサーを含む、筐体と、
搭載された前記ヘッドレストが背もたれに対して、調節可能範囲にわたる異なる位置に可動となるように、前記座席の前記背もたれに前記ヘッドレストを搭載するための棒と、
を備え、前記棒が、
１つまたは複数のワイヤであって、前記１つまたは複数のワイヤの各々が、一端部において電気接点に結合され、反対側端部において前記音響トランスデューサーのうちの１つに結合され、前記１つまたは複数のワイヤが、前記棒の中空内部内に位置する、１つまたは複数のワイヤと、
ｉ）外部供給源に結合された電気コネクタと、ｉｉ）前記１つまたは複数のワイヤに結合された前記電気接点との間に電気接続が確立されることを可能にするための開口であって、前記電気接続が、前記電気コネクタまたは前記電気接点のいずれかに対する機械的バイアスにより前記ヘッドレストの前記調節可能範囲にわたって維持される、開口と、
を備える、乗り物の座席のためのヘッドレスト。
【請求項２】
前記開口が、前記棒の一端部にある、請求項１に記載のヘッドレスト。
【請求項３】
前記開口が、前記棒の側壁に位置する、請求項１に記載のヘッドレスト。
【請求項４】
前記開口が、ロッキング構成で前記電気接点を受け入れるように構成された、請求項３に記載のヘッドレスト。
【請求項５】
前記電気接点が、前記電気接点と前記棒との間に電気的に絶縁された障壁を提供する非電導部を備える、請求項１に記載のヘッドレスト。
【請求項６】
前記開口が、前記電気接点の少なくとも一部が前記ヘッドレストの前記調節可能範囲にわたって前記開口を通して前記電気コネクタに触れるように構成された、請求項３に記載のヘッドレスト。
【請求項７】
前記電気コネクタが、前記電気コネクタが前記ヘッドレストの前記調節可能範囲にわたって前記電気接点との物理的接触を維持するようにさせる板ばねを含む、請求項３に記載のヘッドレスト。
【請求項８】
前記外部供給源が、前記音響トランスデューサーに動作電力を提供するように構成された電源を備える、請求項１に記載のヘッドレスト。
【請求項９】
前記外部供給源が、音声信号の供給源を備える、請求項１に記載のヘッドレスト。
【請求項１０】
前記電気コネクタが、前記中空内部内に位置するばね荷重構造物を備え、前記ばね荷重構造物は、前記電気コネクタが前記ヘッドレストの前記調節可能範囲にわたって前記電気接点との物理的接触を維持するようにさせる、請求項１に記載のヘッドレスト。
【請求項１１】
１つまたは複数の音響トランスデューサーを受け入れるための筐体を備えるヘッドレストと、
座席の一部の中に位置する電気コネクタであって、前記電気コネクタが、前記１つまたは複数の音響トランスデューサーに関係する外部供給源に結合された、電気コネクタと、
前記１つまたは複数の音響トランスデューサーに接続された１つまたは複数のワイヤに結合された電気接点と、
前記ヘッドレストが背もたれに対して、調節可能範囲にわたる異なる位置に可動となるように、前記ヘッドレストの一部を受け入れるための受入部を備える前記背もたれであって、前記受入部が、前記電気コネクタと前記電気接点との間に接続が確立されることを可能にする開口を含むスリーブを備える、背もたれと、
前記背もたれに前記ヘッドレストを搭載するために前記受入部内に挿入されるように構成された棒と、
を備え、前記棒が、
前記音響トランスデューサーに接続された前記１つまたは複数のワイヤを受け入れるための経路部と、
前記電気コネクタと前記電気接点との間に前記接続が確立されることを可能にするための、前記棒の側壁にあるスロットであって、前記接続が、前記電気コネクタまたは前記電気接点のいずれかに対する機械的バイアスにより前記ヘッドレストの前記調節可能範囲にわたって維持される、スロットと、
を備える、座席。
【請求項１２】
前記スロットが、ロッキング構成で前記電気接点を受け入れるように構成された、請求項１１に記載の座席。
【請求項１３】
前記電気接点が、前記電気接点と前記棒との間に電気的に絶縁された障壁を提供する非電導部を備える、請求項１１に記載の座席。
【請求項１４】
前記スロットは、前記電気接点の少なくとも一部が前記ヘッドレストの前記調節可能範囲にわたって前記スロットを通して前記電気コネクタに触れるように構成された、請求項１１に記載の座席。
【請求項１５】
前記電気コネクタが、前記受入部内に位置する、請求項１１に記載の座席。
【請求項１６】
前記電気コネクタが、前記棒内に位置する、請求項１１に記載の座席。
【請求項１７】
前記電気コネクタは、前記電気コネクタが前記ヘッドレストの前記調節可能範囲にわたって前記電気接点との物理的接触を維持するようにさせる、板ばねを含む、請求項１１に記載の座席。
【請求項１８】
前記外部供給源が、前記音響トランスデューサーに動作電力を提供するように構成された電源を備える、請求項１１に記載の座席。
【請求項１９】
前記外部供給源が、音声信号の供給源を備える、請求項１１に記載の座席。
【請求項２０】
１つまたは複数の音響トランスデューサーを備えるヘッドレストと、
前記ヘッドレストが背もたれに対して、調節可能範囲にわたる異なる位置に可動となるように、前記ヘッドレストの一部を受け入れるための受入部を備える背もたれと、
を備え、前記ヘッドレストが、
前記１つまたは複数の音響トランスデューサーを受け入れるための筐体と、
前記背もたれに前記ヘッドレストを搭載するために前記受入部内に挿入されるように構成された棒と、
をさらに含み、前記棒が、
前記音響トランスデューサーに接続された１つまたは複数のワイヤを受け入れるための経路部を形成する中空内部と、
前記中空内部内に位置するばね荷重構造物であって、前記ばね荷重構造物は、前記ヘッドレストの前記調節可能範囲にわたって電気コネクタが前記１つまたは複数のワイヤとの電気接点を維持するようにさせる、ばね荷重構造物と、
を備える、座席。
【請求項２１】
前記電気コネクタが外部電源に結合された、請求項２０に記載の座席。
【請求項２２】
前記電気コネクタが、前記１つまたは複数の音響トランスデューサーのための音声信号の供給源に結合された、請求項２０に記載の座席。
【請求項２３】
前記棒の上部が、前記筐体に結合され、前記ばね荷重構造物が、前記棒の反対側の下部に位置する、請求項２０に記載の座席。
【請求項２４】
前記電気接点が、前記電気接点と前記棒との間に電気的に絶縁された障壁を提供する非電導部を備える、請求項２０に記載の座席。
【発明の詳細な説明】
【技術分野】
【０００１】
本開示は概して、スピーカーなどの音響出力デバイスを含む座席に関する。
【背景技術】
【０００２】
乗り物の座席に使用されるヘッドレストは、近距離場音響体験をもたらすスピーカーを含み得る。
【発明の概要】
【課題を解決するための手段】
【０００３】
一態様において、本明細書は、乗り物の座席のためのヘッドレストに着目する。ヘッドレストは、乗り物の座席に乗った人の頭部を支持するための筐体を含む。筐体は、１つまたは複数の音響トランスデューサーをさらに含む。ヘッドレストは、座席の背もたれにヘッドレストを搭載するための棒をさらに含むので、搭載されたヘッドレストは、背もたれに対して、調節可能範囲にわたる異なる位置に可動である。棒は、１つまたは複数のワイヤを含み、１つまたは複数のワイヤの各々が一端部において電気接点に結合され、反対側端部において音響トランスデューサーのうちの１つに結合され、１つまたは複数のワイヤが、棒の中空内部内に位置する。棒は、ｉ）外部供給源に結合された電気コネクタと、ｉｉ）１つまたは複数のワイヤに結合された電気接点との間に電気接続が確立されることを可能にするための開口をさらに含む。電気コネクタまたは電気接点のいずれかに対する機械的バイアスによりヘッドレストの調節可能範囲にわたって接続が維持される。
【０００４】
別の一態様において、本明細書は、ヘッドレスト、背もたれ、電気コネクタ、および電気接点を含む座席に着目する。ヘッドレストは、１つまたは複数の音響トランスデューサーを受け入れるための筐体を含む。電気コネクタは、座席の一部の中に位置し、１つまたは複数の音響トランスデューサーに関係する外部供給源に結合される。電気接点は、１つまたは複数の音響トランスデューサーに接続された１つまたは複数のワイヤに結合される。背もたれがヘッドレストの一部を受け入れるための受入部を含むので、ヘッドレストは、背もたれに対して、調節可能範囲にわたる異なる位置に可動である。受入部は、電気コネクタと電気接点との間に接続が確立されることを可能にするための開口を含むスリーブを含む。座席は、背もたれにヘッドレストを搭載するために受入部内に挿入されるように構成された棒をさらに含む。棒は、音響トランスデューサーに接続された１つまたは複数のワイヤを受け入れるための経路部と、電気コネクタと電気接点との間に接続が確立されることを可能にするための、棒の側壁にあるスロットとを含む。接続は、電気コネクタまたは電気接点のいずれかに対する機械的バイアスによりヘッドレストの調節可能範囲にわたって維持される。
【０００５】
別の一態様において、本明細書は、ヘッドレストと背もたれとを含む座席に着目する。ヘッドレストは、１つまたは複数の音響トランスデューサーを含む。背もたれは、ヘッドレストの一部を受け入れるための受入部を含むので、ヘッドレストは、背もたれに対して、調節可能範囲にわたる異なる位置に可動である。ヘッドレストは、１つまたは複数の音響トランスデューサーを受け入れるための筐体と、背もたれにヘッドレストを搭載するために受入部内に挿入されるように構成された棒とをさらに含む。棒は、音響トランスデューサーに接続された１つまたは複数のワイヤを受け入れるための経路部を形成する中空内部と、中空内部内に位置するばね荷重構造物とを含み、ばね荷重構造物は、ヘッドレストの調節可能範囲にわたって電気コネクタが１つまたは複数のワイヤとの電気接点を維持するようにさせる。
【０００６】
上述の態様の実施態様は、以下の特徴の１つまたは複数を含み得る。
【０００７】
開口は、棒の一端部にあるか、または棒の側壁に位置し得、開口は、ロッキング構成（locking configuration）で電気接点を受け入れるように構成され得る。電気接点は、電気接点と棒との間に電気的に絶縁された障壁を提供する非電導部を含み得る。開口は、電気接点の少なくとも一部がヘッドレストの調節可能範囲にわたって開口を通してコネクタに触れるように構成される。電気コネクタは、ヘッドレストの調節可能範囲にわたってコネクタが電気接点との物理的接触を維持するようにさせる板ばねを含み得る。外部供給源は、音響トランスデューサーに動作電力を提供するように構成された電源を含み得る。外部供給源は、音声信号の供給源を含み得る。電気コネクタは、中空内部内に位置するばね荷重構造物を含み得、ばね荷重構造物は、電気コネクタがヘッドレストの調節可能範囲にわたって電気接点との物理的接触を維持するようにさせる。
【０００８】
スロットは、ロッキング構成で電気接点を受け入れるように構成され得る。電気接点は、電気接点と棒との間に電気的に絶縁された障壁を提供する非電導部を含み得る。スロットは、電気接点の少なくとも一部がヘッドレストの調節可能範囲にわたってスロットを通してコネクタに触れるように構成され得る。電気コネクタは、受入部内または棒内に位置し得る。電気コネクタは、コネクタがヘッドレストの調節可能範囲にわたって電気接点との物理的接触を維持するようにさせる板ばねを含み得る。棒の上部は、筐体に結合され得、ばね荷重構造物は、棒の反対側の下部に位置し得る。
【０００９】
本明細書において説明される様々な実施態様は、以下の利点のうちの１つまたは複数を提供し得る。機械的バイアスに起因して可動接点を押すコネクタを提供することにより、調節可能ヘッドレストの運動の範囲にわたって電気接続が維持され得る。いくつかの場合において、これは、ヘッドレスト棒の小さな断面を通してピッグテールハーネスワイヤなどの伸張可能ワイヤを挿入する必要性をなくし得る。加えて、２つの電導体間に（金などの自己ワイピング材料を使用して構築され得る）可動接触点または面を提供することにより、２つの電導体間の表面腐食が低減または解消され得、それにより、接触点または面の実効寿命を伸ばすことができる。
【００１０】
この概要のセクションで説明されるものを含む、本開示において説明される特徴のうちの２つ以上が組み合わされて、本明細書に具体的に説明されない実施態様を形成し得る。
【００１１】
１つまたは複数の実施態様の詳細が、添付図面および以下の説明に記載される。他の特徴、目的、および利点が、説明および図面から、ならびに特許請求の範囲から明らかとなる。
【図面の簡単な説明】
【００１２】
【図１Ａ】スピーカーを含むヘッドレストの斜視図である。
【図１Ｂ】乗り物の座席の斜視図である。
【図１Ｃ】ヘッドレスト内に位置する音響トランスデューサーのための固定点コネクタの例を示す図である。
【図１Ｄ】ヘッドレスト内に位置する音響トランスデューサーのための固定点コネクタの例を示す図である。
【図２Ａ】ヘッドセットの棒または支持ロッド内に位置する機械的にバイアスされた電気接続機構の一部を示す図である。
【図２Ｂ】ヘッドセットの棒または支持ロッド内に位置する機械的にバイアスされた電気接続機構の一部を示す図である。
【図３】ヘッドレスト棒の開口の一例を示す図であり、開口は、ヘッドレスト内に位置するスピーカーに電気接続を提供するために使用可能である。
【図４Ａ】図３に示す開口を通して接続を提供するための機械的にバイアスされた電気接続機構の一部を示す図である。
【図４Ｂ】図３に示す開口を通して接続を提供するための機械的にバイアスされた電気接続機構の一部を示す図である。
【図５Ａ】ヘッドレスト内に位置するスピーカーに電気接続を提供するためにヘッドレスト棒内に位置し得る電気接点の例を示す図である。
【図５Ｂ】ヘッドレスト内に位置するスピーカーに電気接続を提供するためにヘッドレスト棒内に位置し得る電気接点の例を示す図である。
【図５Ｃ】ヘッドレスト内に位置するスピーカーに電気接続を提供するためにヘッドレスト棒内に位置し得る電気接点の例を示す図である。
【発明を実施するための形態】
【００１３】
乗り物の座席は、近距離場音響体験をもたらすための音響トランスデューサーまたはスピーカーが取り付けられ得る。例えば、没入させる音響体験、および可能性としては個人に合わせた音響体験を提供するためにスピーカーが座席に乗った人の耳に近くなるように、座席内にスピーカーが取り付けられ得る。スピーカーは、例えば、座席のヘッドレスト内、または、乗った人の首または肩付近の座席の一部の中に位置し得る。複数のスピーカーが使用されるとき、スピーカーは、また、例えば没入させる音響効果を提供するために、座席の様々な部分に分散され得る。本明細書は、本技術を示すために、主に乗り物の座席のヘッドレストの例を使用する。しかし、本技術は、本明細書において説明される手法で設置されたスピーカーを含み得る他の種類の音響的に使用可能な座席または家具に適用可能であり得る。例えば、本技術は、スピーカーが取り付けられたマッサージチェア、ソファ、リクライニングチェア、テーブル、またはベッドにおいて使用され得る。
【００１４】
図１は、スピーカー１０２を組み込んだヘッドレスト１００の一例を示す。図１を参照すると、スピーカー１０２は、Ｕ字形支持ロッド１０４に装着され、スピーカー１０２がユーザーの頭部のすぐ後ろにある（すなわち、いくつかの場合において２つの独立した棒の組み合わせにより置換され得るようにＵ字形支持ロッドまたは棒１０４の左側および右側に位置するのではない）ように、およびヘッドレスト１００のいずれかの側において発散方向に外向きに出るように位置する。
【００１５】
いくつかの場合において、小さなプラスチック筐体１０６が、音響筐体を形成するために各スピーカー１０２に装着される。いくつかの実施態様において、それらのサブ組立体の各々が、Ｕ字形支持ロッド１０４に固定されたハウジング（例えば、シート金属ケージ１０８）内に位置する。図１は、スピーカー１０２および筐体１０６を見るためにシート金属ケージ１０８の前部が除去された状態の部分組立体を示す。モールド成形された発泡衝撃吸収材の部品が、その組立体の周囲に位置し得、モールド成形された発泡衝撃吸収材の部品が、さらにカバー材料（例えば布または革）により覆われる。
【００１６】
支持ロッド１０４（棒とも呼ばれ得る）は、乗り物の座席の後部座席にヘッドレストを搭載するために使用され得る。これは図１Ｂに示され、図１Ｂは、座る部分１５２と背もたれ１５４とを含む乗り物の座席１５０を示す。ヘッドレスト（例えば、図１Ａに示されるヘッドレスト１００）は、背もたれ１５４に搭載され得る。いくつかの実施態様において、背もたれ１５４の上面または上部１５６は、支持ロッドまたは棒１０４などのヘッドレストの一部を受け入れるための１つまたは複数の受入部１５８を含む。図１Ｂは、２つの対応する支持ロッド１０４を受け入れるための２つの受入部１５８を示すが、他の実施態様において、受入部および支持ロッドの数は異なり得る。例えば、ヘッドレスト１００は、単一の支持ロッド１０４を使用して背もたれ１５４に搭載され得る。別の一例において、ヘッドレスト１００は、３つ以上の支持ロッド１０４を使用して背もたれ１５４に搭載され得る。いくつかの実施態様において、１つまたは複数の受入部１５８は、少なくとも部分的に対応する受入部内に位置するスリーブ（例えば、硬質プラスチックから構築されたスリーブ）を含み得る。
【００１７】
ヘッドレスト１００は、ヘッドレストが背もたれに対して、調節可能範囲にわたる異なる位置に可動となるように、背もたれ１５４に搭載され得る。例えば、１つまたは複数の支持ロッド１０４の長さに応じて、ヘッドレスト１００は、乗った人の頭部を支持するために、対応する受入部１５８内において異なる高さに上下に動かされ得る。乗った人に対して適切な高さに調節された後、ヘッドレスト１００は、その特定の高さに例えばロック機構を使用して固定され得る。
【００１８】
スピーカーまたは音響トランスデューサーがヘッドレスト内に位置する実施態様では、スピーカーのための配線は、１つまたは複数の支持ロッド１０４を通され得る。例えば、外部供給源（例えば、電源および／または音声信号の供給源）からのワイヤは、座席の背もたれを通って、１つまたは複数の支持ロッド１０４内に通され得る。いくつかの場合において、座席の背もたれ（または、座席の他の部分）内の電導体と、支持ロッド１０４内の電導体との間の接続は、プラグ点などの固定接続点を介して確立され得る。このような場合において、ピッグテールハーネス配線などの電導体と関係するコネクタとが、ヘッドレスト１００内に位置する音響トランスデューサーに電気接続を提供するために使用され得る。
【００１９】
ヘッドレスト内に位置する音響トランスデューサーに電気接続を提供するための固定点接続機構の例が、図１Ｃと図１Ｄとに示される。図１Ｃに示す例において、固定接続点１６０は座席の上面１５６に隣接して位置するスリーブ１６２に提供される。接続点１６０と音響トランスデューサーとの間に接続されたワイヤは、支持ロッド１０４の中空内部を通して導かれる。図１Ｄに示す例において、固定接続点１７０は、支持ロッド１０４の一端部に位置する。いくつかの場合において、調節可能ヘッドレストのために支持ロッド１０４に関連したこのような固定点接続機構を使用することは困難であり得る。例えば、固定点接続は、背もたれに対するヘッドレストの自由な動きを妨げ得る。例えば、固定点接続は、背もたれ内に、ヘッドレストが上下に動かされたときに動く必要があるピッグテールハーネスの緩いループを必要とし得る。このようなループは、座席の内部構造物の一部に止められる場合があり、それにより、ヘッドレストの運動を妨げ、および／または、ハーネスの一部に応力をもたらす可能性がある。いくつかの場合において、これは、絶縁材の摩耗を生じさせ得るか、または、接続が固定接続点から分断され得る。加えて、背もたれに対するヘッドレストの動きの範囲は、いくつかの場合において、支持ロッド１０４内に取り付けられ得るワイヤの長さにより制限され得る。例えば、図１Ｃに示されるように、ワイヤが背もたれに対するヘッドレストの動きに従って伸張および／または圧縮され得るように、ワイヤ１７２が螺旋構成で支持ロッド１０４内に位置し得る。いくつかの場合において、支持ロッド１０４内にこのような追加的な長さのワイヤを取り付けることは、特に小さな断面積の中空内部をもつ支持ロッドの場合には、困難であり得る。
【００２０】
本明細書において説明される技術は、ヘッドレストの調節可能範囲にわたる１つまたは複数の音響トランスデューサーへの電気接続を維持する機械的にバイアスされた接触点または面を提供する。ヘッドレストの１つまたは複数の支持ロッドを通して導かれたワイヤは、背もたれに対して固定された接続点に装着されない。これは、いくつかの実施態様において、上述の固定点接続機構の問題のうちのいくつかを避けることに役立ち得る。例えば、背もたれに対するヘッドレストの動きへの妨げが低減され得る。さらに、ヘッドレストの調節可能範囲は、このような範囲を支持ロッド内に位置するワイヤの長さに無関係とすることにより、広げられ得る。
【００２１】
図２Ａおよび図２Ｂは、ヘッドレストの運動の範囲にわたって接続を維持するために使用され得る機械的にバイアスされた電気接続機構２００の一部を示す。特に、図２Ａに示す例は、ヘッドレストの支持ロッド１０４内に位置するワイヤ管２０２を示し、ワイヤ管２０２は、ヘッドレスト内に位置する１つまたは複数のトランスデューサーに電気接続を提供するように構成される。ワイヤ管２０２は、１つまたは複数の音響トランスデューサーのための動作電力および／または駆動信号を伝達するための１つまたは複数のワイヤ２０４を含み得る。このような場合において、支持ロッド１０４の中空内部は、ワイヤ２０４を受け入れるための経路部を形成する。１つまたは複数のワイヤ２０４は、ワイヤ２０４を受け入れるように構成された１つまたは複数の端子２０７を含み得る電気接点２０６において終端する。電気接点２０６が支持ロッド１０４の一端部の開口に提供され得ることにより、電気接点がロッキング構成（locking configuration）で開口に受け入れられる。接続機構２００は、１つまたは複数のワイヤ２０４の各々を外部供給源に結合された対応するワイヤ２１０に接続するための接続点または面を提供する電気コネクタ２０８をさらに含む。例えば、電気コネクタ２０８は、ワイヤ２１０に結合された、ワイヤ２１０と音響トランスデューサーに接続された対応するワイヤ２０４との間の電気接続を提供する電導面２０９を含み得る。いくつかの実施態様において、電導面は、電気接点２０６の端子２０７と物理的に接触することによりこのような電気接続を提供するように構成され得る。いくつかの実施態様において、電気接点２０６は、電気接点２０６と支持ロッド１０４との間に電気的に絶縁された障壁を提供する（例えば、プラスチックまたはゴムから構築された）非電導部２０３を含む。
【００２２】
いくつかの実施態様において、接続機構２００は、座席の背もたれ内に提供されたスリーブ２１２内に位置し得る。例えば、図１Ｂに示されるように、このようなスリーブ２１２は、背もたれ１５４の受入部１５８内に提供され得る。図２Ｂは、支持ロッド１０４がスリーブ２１２内に挿入される一例を示す。スリーブ２１２内にも位置するコネクタ２０８は、スリーブ２１２内における支持ロッド１０４の運動の範囲にわたってコネクタ２０８を電気接点２０６に対して押された状態に維持するために、ばね荷重構造物２１４により機械的にバイアスされる。例えば、支持ロッド１０４がヘッドレストの調節可能範囲にわたってスリーブ２１２に対して上下に動かされたとき、それぞれ、ばね荷重構造物２１４が拡張および収縮することにより、電気接点２０６とコネクタ２０８との間において実質的に一定の接続が維持される。この構成では、ワイヤ２０４が座席の背もたれにおける固定接続点に装着されないので、支持ロッド１０４は、ヘッドレストに対する運動の調節可能範囲にわたって接続を維持することに対応するために、追加的な長さのこのようなワイヤを収容する必要がない。従って、短いワイヤ（例えば、１つまたは複数の音響トランスデューサーを接触点２０６に接続するには十分長い）が、支持ロッド１０４内に位置し得る。いくつかの場合において、これは、（例えば、より多くのトランスデューサーのための）より多くのワイヤが支持ロッド１０４内に位置することを可能にし得る。いくつかの場合において、固定点接触機構とともに使用可能ではない小さな断面をもつ支持ロッドが、ヘッドレスト内に位置する１つまたは複数の音響トランスデューサーに電気接続を提供するために使用され得る。
【００２３】
図２Ｂに示す例において、外部供給源と１つまたは複数の音響トランスデューサーとの間に電気接続を提供するための開口が、支持ロッド１０４の一端部に提供される。いくつかの実施態様において、このような開口が、さらに違う場所にも、例えば、支持ロッド１０４の側壁に提供され得る。図３は、開口がヘッドレスト棒または支持ロッド１０４の側壁に提供される一例を示す。特に、図３に示す例は、ヘッドレスト内に位置するスピーカーに電気接続を提供するために使用可能な開口を提供するスロット３０２を示す。このような場合において、機械的にバイアスされた接続は、座席の背もたれに搭載されたときにヘッドレスト１００の運動の範囲にわたって、スロット３０２を通して外部供給源と音響トランスデューサーとの間において維持され得る。
【００２４】
図４Ａおよび図４Ｂは、図３に示されるスロット３０２などの開口を通して接続を提供するための、機械的にバイアスされた電気接続機構の一部を示す。特に、図４Ａは、機械的にバイアスされた電気接続機構４００を支持する支持ロッド１０４およびスリーブ４０２の断面を示す。スリーブ４０２は、座席内、例えば座席の背もたれ内に位置し得、スリーブの上面が背もたれの上面１５６に隣接する。いくつかの実施態様において、機構４００は、スリーブ４０２内に位置する電気コネクタ４０６と支持ロッド１０４内に位置する電気接点４０８との間の電気接続を含む。コネクタ４０６は、外部供給源（例えば、電源および／または音声信号の供給源）に結合され、その一部４０７は、座席内（例えば、スリーブ４０２、または背もたれの他の別の一部の中）に位置し得る。電気接点４０８は、支持ロッド１０４の中空内部内に位置する１つまたは複数のワイヤ２０２を介して、ヘッドレスト内の１つまたは複数の音響トランスデューサーに電気的に結合される。
【００２５】
いくつかの実施態様において、電気接点４０８は、支持ロッド１０４の中空内部内に挿入され、支持ロッド１０４の側壁の開口に隣接した部分まで動かされる。電気接点４０８は、支持ロッド１０４の側壁の開口内の所定位置にはまり込むように、電気接点４０８のための機械的バイアスを伝達する可撓性構造物（例えば、１つまたは複数の可撓性の足４１０）を含むように構成され得る。いくつかの実施態様において、接点が支持ロッド１０４から電気的に絶縁された状態に留まるように、可撓性の足４１０は非電導材料（例えば硬質プラスチック）から構築され得る。いくつかの実施態様において、電気接点４０８は、（図４Ｂに示されるように）接点４０８が実質的にロックされた構成で開口にはまり込むことを可能にする１つまたは複数の突起４１２を含む。接点４０８が支持ロッド１０４から電気的に絶縁されるように、突起４１２は非電導材料（例えばプラスチックまたはゴム）から構築され得る。いくつかの実施態様において、接点４０８は、（図４Ａと図４Ｂとの両方に示されるように）支持ロッド１０４から電気接点を絶縁するための他の非電導部４１４を含み得る。このような電気絶縁は、接続機構を通って流れる電力が支持ロッド内に漏れないことを確実にするために提供され得る。これは、いくつかの場合において、支持ロッド１０４自体が通電される結果としてもたらされる性能低下のおそれを低減し得る。
【００２６】
電気接点４０８が所定位置にはまり込んだ後、電気接点は、支持ロッド１０４に対して固定される。従って、ヘッドレストが上下に動かされるとき、それぞれ、電気接点４０８が支持ロッド１０４とともに上下に動く。電気コネクタ４０６がスリーブ４０２の開口を通して接点４０８の少なくとも一部に触れるように、スリーブ４０２は、対応する開口を含むように構成され得る。ヘッドレストが調節可能範囲内において上下に動かされると、接点４０８がコネクタ４０６に対して動く。しかし、コネクタ４０６が接点４０８の少なくとも一部に触れることを確実にすることにより、コネクタ４０６と接点４０８との間の電気接続が、調節可能範囲にわたって維持され得る。これは、例えば、電気接続の一部に機械的バイアスを提供することにより実行され得る。
【００２７】
いくつかの実施態様において、機械的バイアスがコネクタ４０６に提供され得る。例えば、コネクタ４０６は、このようなばねに関係する機械的バイアスに起因して、電気接点４０８の対応する表面に向けて圧力を加えられた状態に維持された板ばねを含み得る。いくつかの実施態様において、機械的バイアスは電気接点４０８に提供され得る。例えば、接点４０８の足４１０は、接点４０８とコネクタ４０６との相対運動範囲にわたって、電気接点４０８をコネクタ４０６に向けて圧力を加えられた状態に維持するための機械的バイアスを提供し得る。いくつかの実施態様において、機械的バイアスは、コネクタ４０６と電気接点４０８との両方に提供され得る。いくつかの実施態様において、コネクタ４０６および電気接点４０８の一部（例えば、互いに触れる部分）は、金などの自己ワイピング材料を使用して構築されためっきを含み得る。このようなめっきは、黄銅または銅などの別の下層の電導材料の上方に提供され得る。いくつかの実施態様において、これは、接触点における表面腐食を減らし、構成パーツの寿命を延ばす可能性がある。
【００２８】
図４Ａは１つのコネクタ４０６のみを示すが、コネクタの数は、ヘッドレスト内に位置する音響トランスデューサーとの異なる接続の数に依存する。例えば、電気接点４０８が１つまたは複数の音響トランスデューサーからの２つのワイヤに接続されるように構成される場合、音響トランスデューサーを１つまたは複数の外部供給源に結合するために、２つの独立したコネクタ４０６が使用される。別の一例において、電気接点４０８が１つまたは複数の音響トランスデューサーからの４つのワイヤに接続されるように構成される場合、音響トランスデューサーを１つまたは複数の外部供給源に結合するために、４つの独立したコネクタ４０６が使用される。
【００２９】
図５Ａ〜図５Ｃは、音響トランスデューサーまたはヘッドレスト内に位置するスピーカーに電気接続を提供するためにヘッドレスト棒内に位置し得る電気接点の例を示す。特に、図５Ａは、２つのワイヤ２０４を１つまたは複数の音響トランスデューサーに接続するための電気接点５００を示す。いくつかの実施態様において、電気接点５００は、図４Ａおよび図４Ｂを参照してここまでに説明される接点４０８と実質的に同一であり得る。接点５００は、接点５００を接点が位置する支持ロッドから電気的に絶縁する非電導部５０２を含み得る。非電導部５０２は、電導部５０４を互いに絶縁するためにも使用され得る。いくつかの実施態様において、電気接点５００は、射出オーバーモールド成形工程を使用して生成され得、この場合において、非電導部５０２（例えばプラスチック）が電導部５０４の周囲にオーバーモールド成形される。
【００３０】
図５Ｂおよび図５Ｃは、４つのワイヤを１つまたは複数の音響トランスデューサーに接続するための電気接点５５０を示す。いくつかの実施態様において、このような電気接点５５０は、動作するヒンジ５５２などの屈曲部に沿って一緒に連結された２パーツ構造物（例えばカバーおよび基体）として構築され得る。図５Ｂは、閉じた構成で電気接点５５０を示し、図５Ｃは、カバー５５４と基体５５６とが別々に視認可能な開いた構成で電気接点５５０を示す。いくつかの実施態様において、電気接点５５０は、例えば、１つまたは複数の孔または開口５５８を含むプラスチックカバーをモールド成形することと、例えば動作するヒンジ５５２により基体５５６にプラスチックカバーを接続することとにより構築され得る。電導部５０４は、非電導材料により作られた基体５５６に位置し得る。次に、カバー５５４が動作するヒンジ５５２に沿って折り畳まれ得ることにより、孔または開口５５８が電導部５０４に並ぶ。いくつかの実施態様において、カバー５５４は、基体５５６の上方に、例えば、スナップ機能、熱溶接、超音波溶接、または接着剤を使用して機械的に装着され得る。
【００３１】
いくつかの実施態様において、電導部の各々は、機械的にバイアスされた構成を介して対応するコネクタとの独立した接続を確立するように構成され得る。接点５００および５５０などの電気接点の寸法は、いくつかの制約に基づいて構成され得る。例えば、電気接点の形状および寸法は、接点が支持ロッドにおける対応する開口（例えば、図３を参照して説明されるスロット３０２）内に適合するように構成され得る。加えて、接点の電導部５０４の長さは、対応するヘッドレストの調節可能範囲に従って構成され得る。例えば、コネクタの少なくとも一部が調節可能範囲にわたって電導部５０４に連続的に触れるように、個々の電導部５０４の長さが、対応するヘッドレストに対する調節可能範囲に実質的に等しく作られ得る。いくつかの場合において、調節可能範囲の端であっても接続を確実なものとする保護領域を含むために、個々の電導部５０４の長さは、対応するヘッドレストに対する調節可能範囲よりわずかに大きなものであり得る。
【００３２】
多くの実施態様が説明された。しかし、本明細書において具体的に説明されない他の実施形態も後述の請求項の範囲に入る。本明細書において説明される異なる実施態様の要素が組み合わされて、ここまでに具体的に説明されない他の実施形態を形成し得る。要素は、本明細書において説明される構造物から、それらの動作に悪影響を与えずに除外され得る。さらに、様々な別々の要素が１つまたは複数の個々の要素に一体化されて、本明細書において説明される機能を実施し得る。
【符号の説明】
【００３３】
１００  ヘッドレスト
１０２  スピーカー
１０４  Ｕ字形支持ロッドまたは棒
１０６  プラスチック筐体
１０８  シート金属ケージ
１５０  座席
１５２  座る部分
１５４  背もたれ
１５６  上面または上部
１５８  受入部
１６０  固定接続点
１６２  スリーブ
１７０  固定接続点
１７２  ワイヤ
２００  電気接続機構
２０２  ワイヤ管
２０３  非電導部
２０４  ワイヤ
２０６  電気接点、接触点
２０７  端子
２０８  電気コネクタ
２０９  電導面
２１０  ワイヤ
２１２  スリーブ
２１４  ばね荷重構造物
３０２  スロット
４００  電気接続機構
４０２  スリーブ
４０６  電気コネクタ
４０８  電気接点
４１０  可撓性の足
４１２  突起
４１４  非電導部
５００  電気接点
５０２  非電導部
５０４  電導部
５５０  電気接点
５５２  ヒンジ
５５４  カバー
５５６  基体
５５８  開口
【図１Ａ】
2019508317.tif 000003
【図１Ｂ】
2019508317.tif 000004
【図１Ｃ】
2019508317.tif 000005
【図１Ｄ】
2019508317.tif 000006
【図２Ａ】
2019508317.tif 000007
【図２Ｂ】
2019508317.tif 000008
【図３】
2019508317.tif 000009
【図４Ａ】
2019508317.tif 000010
【図４Ｂ】
2019508317.tif 000011
【図５Ａ】
2019508317.tif 000012
【図５Ｂ】
2019508317.tif 000013
【図５Ｃ】
2019508317.tif 000014
【国際調査報告】
2019508317.tif 000015
2019508317.tif 000016